(57)【要約】      （修正有）【課題】ジェル状の合成樹脂保冷材に比べて入手が容易な氷を使用し、氷の融解熱と融解後の水の気化時の潜熱とを効果的に利用し、低コストで効果的な頭部冷却機能を発揮する帽子を提供する。【解決手段】クラウン部１の頂部内側に収納部６を設け、収納部は、少なくともその下側内面を不透水性材料をもって構成し、該収納部には、そのクラウン部後頭側に、該クラウン部１内の収納部６より下側に通じる通水部１１を備え、収納部６内の水が通水部１１を通ってクラウン部１の後頭部内面側に流出可能とする。【選択図】図１
0003181106.tif 000002
【実用新案登録請求の範囲】
【請求項１】
クラウン部の頂部内側に収納部を設け、該収納部のクラウン部の内側又は外側に開閉可能な出し入れ口を備え、該収納部内に冷却材を収容することにより頭部を冷却するようにした頭部冷却機能付帽子において、
前記収納部は、少なくともその下側内面を不透水性材料をもって構成し、
該収納部には、そのクラウン部後頭側に、該クラウン部内の前記収納部より下側に通じる通水部を備え、
前記収納部内の水が前記通水部を通って前記クラウン部の後頭部内面側に流出可能にしたことを特徴としてなる頭部冷却機能付帽子。
【請求項２】
前記通水部は、液体浸透性布状材を、その上端を前記収納部内に挿入した状態で前記クラウン部の後頭部側内面に固定することによって構成した請求項1に記載の頭部冷却機能付帽子。
【請求項３】
前記液体浸透性布状材は、タオル地又は不織布をもって構成した請求項２に記載の頭部冷却機能付帽子。
【考案の詳細な説明】
【技術分野】
【０００１】
本考案は、真夏の炎天下におけるスポーツその他の屋外作業において、頭部が効果的に冷却される頭部冷却機能付帽子に関する。
【背景技術】
【０００２】
一般に、頭部冷却機能付帽子としては、クラウン部の頂部にポケットを備え、その中に冷却した保冷材を収容した状態で被ることにより暑気による頭部の温度上昇を防止するようにしたものが知られている(例えば特許文献１，２)。
【先行技術文献】
【特許文献】
【０００３】
【特許文献１】特開２０００−２９０８２２号公報
【特許文献２】特開２０００−８２１７号公報
【考案の開示】
【考案が解決しようとする課題】
【０００４】
このような従来の頭部冷却機能付帽子は、保冷材として、ジェル状の熱容量が大きい合成樹脂材料を使用し、これを冷凍庫で凍結状態まで冷却して帽子内に入れるものであるため、一端解凍状態に達すると、これを冷凍庫などで再冷却しなければならず、再使用が可能な状態まで冷却するには長時間を要する。
【０００５】
また、保冷材の保冷効果が得られる時間が限られており、一定時間ごとに取り換えを要するが、現状では冷却したものを何処ででも容易に入手できるものではなく、取り換え用を凍結状態で持ち歩く必要があるが、それには断熱容器などの特殊な器具が必要となり持ち運びに不便である等の問題がある。
【０００６】
本考案は、このような従来の問題に鑑み、ジェル状の合成樹脂保冷材に比べて入手が容易な氷を使用し、氷の融解熱と融解後の水の気化時の潜熱とを効果的に利用し、低コストで効果的な頭部冷却機能を発揮する帽子を廉価で作成できる頭部冷却機能付帽子の提供を目的としてなされたものである。
【課題を解決するための手段】
【０００７】
上述の如き従来の問題を解決するための請求項１に記載の考案の特徴は、クラウン部の頂部内側に収納部を設け、該収納部のクラウン部の内側又は外側に開閉可能な出し入れ口を備え、該収納部内に冷却材を収容することにより頭部を冷却するようにした頭部冷却機能付帽子において、前記収納部は、少なくともその下側内面を不透水性材料をもって構成し、該収納部には、そのクラウン部後頭側に、該クラウン部内の前記収納部より下側に通じる通水部を備え、前記収納部内の水が前記通水部を通って前記クラウン部の後頭部内面側に流出可能にしたことにある。
【０００８】
請求項２に記載の考案の特徴は、請求項１の構成に加え、前記通水部は、液体浸透性布状材を、その上端を前記収納部内に挿入した状態で前記クラウン部の後頭部側内面に固定することによって構成したことにある。
【０００９】
請求項３に記載の考案の特徴は、請求項２の構成に加え、前記液体浸透性布状材は、タオル地又は不織布をもって構成したことにある。
【考案の効果】
【００１０】
本考案は、請求項１に記載のように、クラウン部の頂部内側に設けた収納部を、少なくともその下側内面を不透水性材料をもって構成し、該収納部には、そのクラウン部後頭側に、該クラウン部内の前記収納部より下側に通じる通水部を備え、前記収納部内の水が前記通水部を通って前記クラウン部の後頭部内面側に流出可能にしたことにより、この収容部に小氷塊を収容して頭部に被着することにより、氷によって頭頂部が冷やされるとともに、氷解後の冷たい水が、通水部を通じて流れ出すことにより後頭部が冷やされ、更にその水が皮膚に触れて蒸発する際の熱吸収によっても肌が冷やされることとなる。
【００１１】
また、通水部は後頭部側にあるため、顔面側には流れ出さず、目が濡れることによる煩わしさを感じさせないとともに、炎天下における熱中症予防として最も効果的な後頭部、延髄、頸部の冷却がなされる。
【００１２】
更に、使用する氷は、現在においては、特に夏期のゴルフ場その他の競技場では殆どの場所に常備されているとともにコンビニエンスストアにおいても廉価にて入手が可能であり、ジェル状の保冷材を使用する場合に比べて、入手できる場所が多く、手軽に効果的な頭部冷却効果が得られる。
【００１３】
また、収納部に収容する冷却材としては、氷に限らず、水であってもよく、通水部から水が流れ出している間は、その蒸発時の潜熱による後頭部の冷却効果が得られる。
【００１４】
本考案は、請求項２に記載のように、前記通水部は、液体浸透性布状材を、その上端を前記収納部内に挿入した状態で前記クラウン部の後頭部側内面に固定することによって構成することにより、通水部から流れ出す水は液体浸透性布状材を伝って流下されることとなり、顔面側への流れ出しを防止できるとともに、冷却が必要な後頭部を局部的に冷やすようにすることが容易に可能となる。
【００１５】
また、液体浸透性布状材を使用することにより、その水浸透性を選択することによって水の流下速度、単位時間当たり流下量を選択することができ、多様な用途に対応させることができる。
【００１６】
本考案は、請求項３に記載のように、前記液体浸透性布状材は、タオル地又は不織布をもって構成することにより、多数種類の市販材料によって廉価に製造することができる。
【図面の簡単な説明】
【００１７】
【図１】本考案の第一実施例を示す縦断面図である。
【図２】図１中のａ−ａ線断面図である。
【図３】図１中のｂ−ｂ線断面図である。
【図４】本考案の第二実施例を示す縦断面図である。
【考案を実施するための最良の形態】
【００１８】
本考案に係る頭部冷却機能付帽子の第一実施例を図１〜図３に基づいて説明する。この実施例は、本考案を頂面が平らなクラウン部１の下縁外周全域に円板リング状の庇２を有する帽子に実施した例を示している。
【００１９】
クラウン部１は、天布３の周縁部に上縁を縫い付けた筒布４とから構成されている。筒布４の下縁に庇２が縫い付けられて帽子本体を構成している。筒布４の下縁内側には上向きに折り返したスベリ５が取り付けられている。
【００２０】
クラウン部１の頂部、即ち天布３の下側には、収納部６を構成するための仕切布７が天布３下に収納部６のための間隔を隔て、周囲を筒布４の内側に縫い付けて取り付けられており、天布３と筒布４及び仕切布７によって囲まれた部分が収納部６となっている。
【００２１】
収納部６の下側、即ち仕切布７に不透水性材料を使用している。この不透水性材料としては、例えば、片面に不透水性の樹脂コーティングを施したもの、緻密な織布に撥水剤を含浸させたもの、更にはポリエチレンフィルム等の柔軟性のある合成樹脂フィルム等が使用できる。
【００２２】
仕切布７には、収納物出し入れ口８が形成されており、ファスナー９によって開閉できるようになっている。このファスナー９としては、防水ファスナー又は簡易防水ファスナー等、止水性を持つものが好ましい。
【００２３】
収納部６の後頭側には、クラウン部１内に通じる通水部１１が設けられている。この通水部１１は、仕切布７と筒布４との間に挟んで縫い付けられた液体浸透性布状材１２をもって構成されている。この液体浸透性布状材１２は、親水性の繊維材をもって成形した不織布や、綿糸などの親水性糸をもって織られたタオル地その他の布地、更には連続気泡を有するスポンジ状の合成樹脂材など、内部に水が浸透可能な材料であれば良い。また、毛細管現象によって重力に抗して降下速度が抑制される緻密さをもつものが好ましい。
【００２４】
液体浸透性布状材１２は、上端が仕切布７と筒布４の間から収納部６内に挿入されており、下端がスベリ５の下縁に達する長さとなっている。液体浸透性布状材１２の水平方向の幅は、筒布４の後頭部側半分より短くすることが好ましい。
【００２５】
尚、液体浸透性布状材１２の形状は、上下の幅がほぼ同じで形状、上側の幅が狭い台形、或いは下側の幅が小さい逆さ台形など、各種の形状とすることができる。
【００２６】
このように構成される頭部冷却機能付帽子の使用に際しては、ファスナー９を開け、収納部６内に小氷塊１３を収納する。この小氷塊としては、例えば、一般家庭や飲食店で通常使用している直径３０〜５０ｍｍ程度の大きさのダイヤ型氷や方形型氷が好ましい。
【００２７】
収納部６に小氷塊１３を収容したものを通常の帽子と同様に被ることにより、小氷塊２３によって頭頂部が冷やされるとともに、小氷塊１３が解けた水が液体浸透性布状材１２に導かれて後頭部に流下し、帽子内の後頭部を冷やすとともに、液体浸透性布状材１２の下端から延髄、頸椎に到り気化時の潜熱によりこれらの部分を冷却する。
【００２８】
このように、収納部６の後頭側に通水部１１を設けることにより、氷が解けてできた水が、後頭部側に流れ落ちるため、顔面の濡れがないか少なくなり、屋外の競技やその他の作業に支障を来さず、しかも頭頂部と後頭部更にはその下の延髄や頸部を気化時の潜熱によって冷やされることとなる。
【００２９】
尚、上述した例では、筒布４の上側を天布３で閉鎖し、筒布４の下縁全周に庇２を設けた、サファリに代表される頂面が平らなハット形式の帽子に実施した例を示しているが、所謂野球帽として使用されるほぼ半球面状をしたクラウンを有する帽子にも使用でき、この場合には、図４に示すように半球状に形成されたクラウン部１５の頂部下側に間隔を隔てて仕切布７を張設することにより収納部６を形成したものであってもよい。尚、図において第一実施例と同じ部分には同じ符号を付して説明を省略する。
【００３０】
また、上述した例では、収納物内面の下側を構成する仕切布７に不透水性を持たせたものを示しているが、通水部１１を除く収納部６の内周面全域を不透水性としてもよい。更に、収納物出し入れ口８を仕切布７即ちクラウン部１の内側に設けた場合を示しているが、クラウン部１の外側に設けてもよい。
【００３１】
本考案は、上述した頂面が平らなサファリ等のハット型や野球帽型に限らず、山高帽、中折れ帽、ハンチング、ソンブレロ、チロリアン等、各種の帽子に実施できる。
【符号の説明】
【００３２】
１  クラウン部
２  庇
３  天布
４  筒布
５  スベリ
６  収納部
７  仕切布
８  収納物出し入れ口
９  ファスナー
１１  通水部
１２  液体浸透性布状材
１３  小氷塊
１５  クラウン部
【図１】
0003181106.tif 000003
【図２】
0003181106.tif 000004
【図３】
0003181106.tif 000005
【図４】
0003181106.tif 000006